(57)【要約】供給する薬剤の量を決める投与ダイヤル手段６，８を備える薬剤供給装置が開示されている。薬剤供給装置には、供給する薬剤の量を、第一分量単位の倍数と決めるか、又は第二分量単位の倍数と決めるかを選択する選択手段を備えている。
2004516104.tif 000002
【特許請求の範囲】
【請求項１】
供給する薬剤の量を決める投与ダイヤル手段６，８を具備する薬剤供給装置であって、供給する薬剤の量を、第一分量単位の倍数と決めるか、又は第二分量単位の倍数と決めるかを選択する選択手段を備えていることを特徴とする薬剤供給装置。
【請求項２】
前記第一分量単位は１単位であり、前記第二分量単位は半単位であることを特徴とする請求項１に記載の薬剤供給装置。
【請求項３】
前記選択手段は、使用者により操作されるスイッチ又はスイッチの組み合わせを具備していることを特徴とする請求項１又は２に記載の薬剤供給装置。
【請求項４】
前記薬剤供給装置は、さらにマイクロプロセッサ２０および表示部１０を具備しており、前記選択手段は、前記表示部１０に設けられる使用者により選択されるオプション機能から構成されることを特徴とする請求項１に記載の薬剤供給装置。
【請求項５】
前記薬剤供給装置は、供給する薬剤の量を前記第一分量単位の倍数とするか、又は前記第二分量単位の倍数とするかを決める投与ダイヤル手段を作動させる前記選択手段が操作可能かどうかを使用者に表示する手段を具備していることを特徴とする請求項１〜４の何れか１項に記載の薬剤供給装置。
【請求項６】
前記第一又は第二分量単位のいずれかが半単位であることを特徴とする請求項１〜５の何れか１項に記載の薬剤供給装置。
【請求項７】
前記選択手段は、前記薬剤供給装置の寿命の間のあらかじめ決められた期間中に、一度しか操作できないようにされていることを特徴とする請求項１〜６の何れか１項に記載の薬剤供給装置。
【請求項８】
前記選択手段が製造者のみに操作され、供給する薬剤の量を決める単位の分量は、使用者が装置を保有する前に選択されることを特徴とする請求項１〜７の何れか１項に記載の薬剤供給装置。
【発明の詳細な説明】
【０００１】
本発明は薬剤供給装置に関し、具体的には患者が薬剤を自己管理するための薬剤供給装置に関する。上記の装置は、限定されるものではないが、とりわけ糖尿病の治療に適応される。
【０００２】
薬剤供給装置には、輸液装置およびペン式注入装置などがある。このような薬剤供給装置は、典型的には、交換式薬剤カートリッジから一定量の薬剤を押し出す。薬剤供給装置は、好都合には、供給する薬剤の必要量を選択する手段を備えている。
【０００３】
既知の薬剤供給装置は、患者の必要性に応じて、ある注入装置では１単位の倍数として、他の注入装置では半単位の倍数として、薬剤の量を選択するようになっている。これは、上記の薬剤供給装置には柔軟性がないことを示している。
【０００４】
本発明の利点は、上記の問題を解消するところにあり、薬剤の量を柔軟に選択できるようになした薬剤供給装置を提供するものである。
【０００５】
本発明の第一態様によると、供給する薬剤の量を決める投与ダイヤル手段を具備する薬剤供給装置は、供給する薬剤の量を、第一分量単位の倍数と決めるか、又は第二分量単位の倍数と決めるかを選択する選択手段も備えている。
【０００６】
第一分量単位は１単位であり、第二分量単位は半単位であることが好ましい。
【０００７】
選択手段は、使用者により操作されるスイッチ又はスイッチの組み合わせを具備していることが好ましい。
【０００８】
あるいは、薬剤供給装置は、さらにマイクロプロセッサおよび表示部を具備しており、選択手段は、表示部に設けられる使用者により選択されるオプション機能から構成される。
【０００９】
薬剤供給装置は、供給する薬剤の量を第一分量単位の倍数とするか、又は第二分量単位の倍数とするかを決める投与ダイヤル手段を作動させる選択手段が操作可能かどうかを使用者に表示する手段を備えていることが好ましい。
【００１０】
以下では、実施例のみに基づいて、添付図面を参照しながら本発明を説明する。
【００１１】
図１には、薬剤供給装置の平面図が示されており、図示された実施例には、ペン式注入装置２が示されている。注入装置２には、投与ダイヤル手段６，８、表示部１０、針ユニット１２および投与供給ボタン１４を有する本体ハウジング４が備えられている。表示部は、選択された薬剤の注入量等の情報を使用者に伝達するように適合されている。
【００１２】
使用者は、投与ダイヤル手段６，８を操作することにより薬剤供給装置を作動し、注入する薬剤の必要量を選択する。投与承認ボタン１６を押すことによって、この量を承認できる。投与供給ボタン１４の操作において、マイクロプロセッサ２０はハウジング４内の駆動手段２２を作動させ、望む薬剤量を排出する。
【００１３】
投与ダイヤル手段６，８は、好都合には、供給する薬剤の量を増やすボタンと供給する薬剤の量を減らすボタンの二つのボタンを備える。いずれにおいても、それぞれのボタンが一回押されることにより、薬剤の量は１単位ごとに変化し、１単位となるか又は半単位となるかは、操作モードに応じて決まる。それぞれのボタンを押し続けることによりダイヤルされた投与を連続して変化させることができる機能を薬剤供給装置が備えてもよい。
【００１４】
図２に示された実施例によると、操作モードの選択は、両方の投与ダイヤルボタン６，８を同時に押すことにより、部分単位変更から１単位変更の間で変えることができる。
【００１５】
供給する薬剤の量を１単位の倍数とするか、又は半単位の倍数とするかを決めるための投与ダイヤル手段６，８を作動させるための選択手段が操作可能かどうかをが使用者に伝達されるように、表示部１０を適合させてもよい。
【００１６】
図３の実施例では、同じ部分には同じ参照番号を付し、選択手段は追加専用ボタン３０を備える
【００１７】
本発明の一つの実施例では、選択手段は、薬剤供給装置の寿命の間のあらかじめ決められた期間中に、一度しか操作できない。これにより、あらかじめ決められた期間以降における選択手段の不慮の操作を防ぐことができる。
【００１８】
更なる実施例では、追加的に又は代替的に、選択手段は、製造者のみが操作するようにしてもよく、供給する薬剤の量を決める単位の分量は、使用者が装置を所有する前に選択される。これは、好都合には、製造工程の一部として行われる。これにより、異なる操作構成を有する各種の薬剤供給装置が一つの製造ラインで生産可能になる。
【図面の簡単な説明】
【図１】本発明による薬剤供給装置の平面図である。
【図２】本発明による供給装置の操作のための第一制御配置を概略的に示した図である。
【図３】本発明による供給装置の操作のための第二制御装置を概略的に示した図である。
【国際公開パンフレット】
2004516104.tif 000003
2004516104.tif 000004
2004516104.tif 000005
2004516104.tif 000006
2004516104.tif 000007
2004516104.tif 000008
2004516104.tif 000009
2004516104.tif 000010
2004516104.tif 000011
【手続補正書】
【提出日】平成14年12月19日(2002.12.19)
【手続補正１】
【補正対象書類名】明細書
【補正対象項目名】特許請求の範囲
【補正方法】変更
【補正の内容】
【特許請求の範囲】
【請求項１】
患者が薬剤を自己管理するための薬剤供給装置であって、供給する薬剤の量を決める投与ダイヤル手段（６，８）を具備し、前記装置は、さらに、供給する薬剤の量を第一分量単位の倍数と決めるか、又は第二分量単位の倍数と決めるかを選択する選択手段を具備していることを特徴とする薬剤供給装置。
【請求項２】
前記第一分量単位は１単位であり、第二分量単位は半単位であることを特徴とする請求項１に記載の薬剤供給装置。
【請求項３】
前記選択手段は、使用者により操作されるスイッチ又はスイッチの組み合わせを具備していることを特徴とする請求項１又は２に記載の薬剤供給装置。
【請求項４】
前記薬剤供給装置は、さらにマイクロプロセッサ２０および表示部１０を具備しており、前記選択手段は、前記表示部１０に設けられる使用者により選択されるオプション機能から構成されていることを特徴とする請求項１に記載の薬剤供給装置。
【請求項５】
前記薬剤供給装置は、供給する薬剤の量を前記第一分量単位の倍数とするか、又は前記第二分量単位の倍数とするかを決める投与ダイヤル手段を作動させる前記選択手段が操作可能かどうかを使用者に表示する手段を具備していることを特徴とする請求項１〜４の何れか１項に記載の薬剤供給装置。
【請求項６】
前記第一又は第二分量単位のいずれかが半単位であることを特徴とする請求項１〜５の何れか１項に記載の薬剤供給装置。
【請求項７】
前記選択手段は、前記薬剤供給装置の寿命の間のあらかじめ決められた期間中に、一度しか操作できないことを特徴とする請求項１〜６の何れか１項に記載の薬剤供給装置。
【国際調査報告】
2004516104.tif 000012
2004516104.tif 000013
2004516104.tif 000014